(57)【要約】  液体洗剤であって、（ａ）０〜３０重量％の水と、（ｂ）６０〜９０重量％の界面活性剤と、（ｃ）２０〜５０重量％の（メタ）アクリル酸の重合単位及び５０〜８０重量％の構造Ｈ２Ｃ＝Ｃ（Ｒ）ＣＯ２（ＣＨ２ＣＨ２Ｏ）ｎ（ＣＨ（Ｒ’）ＣＨ２Ｏ）ｍＲ”のモノマーの重合単位を含む、０．５〜１０重量％のアクリルポリマーと、を含み、式中、ＲがＨまたはＣＨ３であり、Ｒ’がＣ１−Ｃ２アルキルであり、Ｒ”がＣ８−Ｃ２２アルキルまたはＣ８−Ｃ１６アルキルフェニルであり、ｎが６〜３０の平均数であり、ｍが０〜１０の平均数であるが、但し、ｎ＞ｍ、かつｍ＋ｎが６〜３０であることを条件とする、液体洗剤。【選択図】なし【特許請求の範囲】
【請求項１】
液体洗剤であって、（ａ）０〜３０重量％の水と、（ｂ）６０〜９０重量％の界面活性剤と、（ｃ）２０〜５０重量％の（メタ）アクリル酸の重合単位及び５０〜８０重量％の構造Ｈ２Ｃ＝Ｃ（Ｒ）ＣＯ２（ＣＨ２ＣＨ２Ｏ）ｎ（ＣＨ（Ｒ’）ＣＨ２Ｏ）ｍＲ”のモノマーの重合単位を含む、０．５〜１０重量％のアクリルポリマーと、を含み、式中、ＲがＨまたはＣＨ３であり、Ｒ’がＣ１−Ｃ２アルキルであり、Ｒ”がＣ８−Ｃ２２アルキルまたはＣ８−Ｃ１６アルキルフェニルであり、ｎが６〜３０の平均数であり、ｍが０〜１０の平均数であるが、但し、ｎ≧ｍであり、かつｍ＋ｎが６〜３０であることを条件とする、液体洗剤。
【請求項２】
Ｒ”がＣ８−Ｃ１８アルキルであり、ｎが８〜２０である、請求項１に記載の洗剤。
【請求項３】
前記アクリルポリマーが、０．１重量％以下の架橋剤を有する、請求項２に記載の洗剤。
【請求項４】
１〜８重量％のアクリルポリマーを含む、請求項３に記載の洗剤。
【請求項５】
０〜２０重量％の水を含む、請求項４に記載の洗剤。
【請求項６】
６５〜８６重量％の界面活性剤を含む、請求項５に記載の洗剤。
【請求項７】
前記アクリルポリマーが、２３〜４０重量％の（メタ）アクリル酸の重合単位及び６０〜７７重量％の構造Ｈ２Ｃ＝Ｃ（Ｒ）ＣＯ２（ＣＨ２ＣＨ２Ｏ）ｎ（ＣＨ（Ｒ’）ＣＨ２Ｏ）ｍＲ”のモノマーの重合単位を含む、請求項６に記載の洗剤。
【請求項８】
ｍが１以下であり、Ｒ’がメチルである、請求項６に記載の洗剤。
【請求項９】
３〜１７重量％の水を含む、請求項８に記載の洗剤。
【発明の詳細な説明】
【技術分野】
【０００１】
本発明は、低水分洗剤配合物、例えば、水分散性パウチに封入されている配合物に関する。
【０００２】
洗剤配合物が水分散性パウチに封入されているパウチ入り洗剤配合物が知られている。パウチに含まれる配合物は、概して、他の洗剤配合物よりも低い水分含量を有する。再付着防止添加剤としてのアクリルポリマーは、例えば、ＵＳ４，７９７，２２３で知られている。しかしながら、この参照文献は、本明細書で特許請求される洗剤配合物の使用を提案していない。
【０００３】
本発明によって解決される問題は、改良されたパウチ入り洗浄洗剤配合物の必要性である。
【発明の概要】
【０００４】
本発明は、液体洗剤を提供し、液体洗剤は、（ａ）０〜３０重量％の水と、（ｂ）６０〜９０重量％の界面活性剤と、（ｃ）２０〜５０重量％の（メタ）アクリル酸の重合単位及び５０〜８０重量％の構造Ｈ２Ｃ＝Ｃ（Ｒ）ＣＯ２（ＣＨ２ＣＨ２Ｏ）ｎ（ＣＨ（Ｒ’）ＣＨ２Ｏ）ｍＲ”のモノマーの重合単位を含む、０．５〜１０重量％のアクリルポリマーと、を含み、式中、ＲがＨまたはＣＨ３であり、Ｒ’がＣ１−Ｃ２アルキルであり、Ｒ”がＣ８−Ｃ２２アルキルまたはＣ８−Ｃ１６アルキルフェニルであり、ｎが６〜３０の平均数であり、ｍが０〜１０の平均数であるが、但し、ｎ≧ｍ、ｍ＋ｎが６〜３０であることを条件とする。
【発明を実施するための形態】
【０００５】
特に指定がない限り、百分率は、重量百分率（ｗｔ％）であり、温度は、℃である。特に指定がない限り、操作は室温（２０〜２５℃）で行われた。洗剤中の成分の重量百分率は、活性成分、例えば、市販の界面活性剤製品中に含まれ得る水を一切含まない界面活性剤分子、の重量、及び水を含む液体洗濯洗剤組成物全体の重量に基づく。アクリルポリマー中のモノマー単位の百分率は、ポリマー鎖の総重量、すなわち、乾燥重量に基づく。用語「（メタ）アクリル」は、メタクリルまたはアクリルを意味する。アルキル基は、直鎖または分岐であり得る飽和ヒドロカルビル基である。アラルキル基は、アリール基で置換されているアルキル基である。アラルキル基の例として、例えば、ベンジル、２−フェニルエチル、及び１−フェニルエチルが挙げられる。本明細書で使用されるとき、用語「界面活性剤」は、脂肪酸石鹸を含む。
【０００６】
本明細書で使用されるとき、別段の指示がない限り、語句「分子量」またはＭｗは、ゲル浸透クロマトグラフィー（ＧＰＣ）及びポリアクリル酸標準物質を使用した従来の方式で測定される、重量平均分子量を指す。ＧＰＣ技術は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−ｌｎｔｅｒｓｃｉｅｎｃｅ，１９７９、及びＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４に詳しく記述されている。分子量は、本明細書では、ダルトンの単位で報告される。
【０００７】
好ましくは、洗剤は、少なくとも１重量％のアクリルポリマーを含み、好ましくは少なくとも１．５重量％、好ましくは少なくとも２重量％、好ましくは８重量％以下、好ましくは７重量％以下、好ましくは６重量％以下、好ましくは５重量％以下である。
【０００８】
好ましくは、ポリマーは、アクリルポリマー、すなわち、少なくとも６０重量％、好ましくは少なくとも７５重量％、好ましくは少なくとも８０重量％、好ましくは少なくとも９０重量％、好ましくは少なくとも９５重量％、好ましくは少なくとも９８重量％のアクリルモノマーの重合残基を有するものである。アクリルモノマーとしては、構造Ｈ２Ｃ＝Ｃ（Ｒ）ＣＯ２（ＣＨ２ＣＨ２Ｏ）ｎ（ＣＨ（Ｒ’）ＣＨ２Ｏ）ｍＲ”のモノマーを含む、（メタ）アクリル酸及びそれらのＣ１−Ｃ２２アルキルもしくはヒドロキシアルキルエステル；クロトン酸、イタコン酸、フマル酸、マレイン酸、無水マレイン酸、（メタ）アクリルアミド、（メタ）アクリロニトリル、及びクロトン酸、イタコン酸、フマル酸、またはマレイン酸のアルキルもしくはヒドロキシアルキルエステルが挙げられる。
【０００９】
好ましくは、アクリルポリマーは、少なくとも５５重量％の構造Ｈ２Ｃ＝Ｃ（Ｒ）ＣＯ２（ＣＨ２ＣＨ２Ｏ）ｎ（ＣＨ（Ｒ’）ＣＨ２Ｏ）ｍＲ”のモノマーの重合単位を含み、好ましくは少なくとも６０重量％、好ましくは少なくとも６５重量％、好ましくは７７重量％以下、好ましくは７５重量％以下である。好ましくは、アクリルポリマーは、少なくとも２３重量％の（メタ）アクリル酸の重合単位を含み、好ましくは少なくとも２５重量％、好ましくは４５重量％以下、好ましくは４０重量％以下、好ましくは３５重量％以下である。
【００１０】
好ましくは、ＲはＨまたはＣＨ３である。好ましくは、Ｒ’はＣＨ３である。好ましくは、ｎは、少なくとも８、好ましくは少なくとも１０であり、好ましくは、ｎは２５以下、好ましくは２０以下、好ましくは１５以下である。好ましくは、ｍは５以下、好ましくは３以下、好ましくは１以下、好ましくは０である。好ましくは、Ｒ”はＣ８−Ｃ１８アルキルまたはＣ８−Ｃ１６アルキルフェニル、好ましくはＣ８−Ｃ１８アルキル、好ましくはＣ１０−Ｃ１６アルキルである。好ましい実施形態では、Ｒ”はＣ１０−Ｃ１６アルキルからの置換基の混合物であり、好ましくはＲ”はＣ１２−Ｃ１５アルキルである。
【００１１】
好ましくは、アクリルポリマーの重量平均分子量（Ｍｗ）は、１，０００〜１０，０００、好ましくは少なくとも１，５００、好ましくは７，０００以下、好ましくは５，０００以下、好ましくは４，０００以下、好ましくは３，０００以下である。
【００１２】
好ましくは、アクリル酸ポリマーは、０．５重量％以下の架橋モノマーの重合単位を含み、好ましくは０．３重量％以下、好ましくは０．１重量％以下、好ましくは０．０５重量％以下、好ましくは０．０２重量％以下である。架橋モノマーは、多エチレン性不飽和モノマーである。好ましくは、洗剤配合物は、Ｚｎ＋２、Ｃａ＋２、Ｍｇ＋２、及びＡｌ＋３からなる群から選択される０．５重量％以下の金属イオンを含み、好ましくは０．３重量％以下、好ましくは０．２重量％以下、好ましくは０．１重量％以下である。金属イオンの百分率は、アニオンなしで、金属のみに基づく。
【００１３】
好ましくは、洗剤は、少なくとも６５重量％の界面活性剤を含み、好ましくは少なくとも７０重量％、好ましくは少なくとも７５重量％、好ましくは８６重量％以下、好ましくは８３重量％以下である。好ましくは、洗剤は、少なくとも３重量％の水を含み、好ましくは少なくとも４重量％、好ましくは少なくとも５重量％、好ましくは少なくとも６重量％、好ましくは少なくとも７重量％、好ましくは２５重量％以下、好ましくは２０重量％以下、好ましくは１７重量％以下、好ましくは１５重量％以下である。
【００１４】
界面活性剤は、カチオン性、アニオン性、非イオン性、脂肪酸金属塩、双性イオン性またはベタイン界面活性剤であってもよい。好ましくは、配合物は、少なくとも１個のアニオン性界面活性剤を含み、好ましくは少なくとも２つである。好ましくは、非イオン性界面活性剤は、少なくとも６個の炭素原子を有するアルキル基及び少なくとも５個の重合化エチレンオキシドまたはプロピレンオキシド残基を有する。好ましくは、非イオン性界面活性剤は、少なくとも５個の重合化エチレンオキシド残基を有し、好ましくは少なくとも６個、好ましくは少なくとも７個、好ましくは１２個以下、好ましくは１１個以下、好ましくは１０個以下である。好ましくは、アニオン性界面活性剤は、少なくとも１０個の炭素原子及びを有するアルキル基及びアニオン性基を有し、好ましくはスルホネート及びサルフェートから選択される。アニオン性界面活性剤はまた、エチレンオキシドの重合残基有し、及び／または芳香環、例えば直鎖アルキルベンゼンスルホン酸塩、を有し得る。いくつかのアニオン性界面活性剤は、脂肪酸アルカリ金属塩である。好ましくは、洗剤組成物は、５〜２０重量％の直鎖アルキルベンゼンスルホン酸塩を含み、好ましくは５〜１５重量％、好ましくは８〜１３重量％である。好ましくは、アルキルベンゼンスルホン酸塩は、Ｃ１０−Ｃ１４アルキル基を有する。好ましくは、洗剤組成物は、少なくとも２重量％のアルキルサルフェートを含み、好ましくは少なくとも３重量％、好ましくは少なくとも４重量％である。好ましくは、洗剤組成物は、１２重量％以下のアルキルサルフェートを含み、好ましくは１０重量％以下、好ましくは８重量％以下である。好ましくは、アルキルサルフェートは、分子あたり１〜５個の重合化エチレンオキシド単位を含む。
【００１５】
好ましくは、洗剤は、１〜１５重量％のＣ１−Ｃ４グリコール溶媒をさらに含み、好ましくはプロピレングリコール、好ましくは２〜１０重量％、好ましくは３〜８重量％である。好ましくは、洗剤は、Ｃ１−Ｃ４グリコールでない１〜１５重量％のポリオール溶媒をさらに含み、好ましくは３〜１２重量％である。好ましいポリオール溶媒は、例えばグリセロール、トリプロピレングリコール、ポリエチレングリコール（好ましくは４，０００，０００ダルトン以下、好ましくは１，０００，０００以下）、ポリプロピレングリコール（好ましくは４，０００ダルトン以下、好ましくは１，０００以下）及びメトキシポリエチレングリコール（ポリエチレングリコールと同じ好ましい分子量）、を含む。
【００１６】
好ましくは、洗剤組成物のｐＨは、４〜１１であり、好ましくは４．５〜１０、好ましくは４．５〜９である。配合物のｐＨを調節するための好適な塩基は、水酸化ナトリウム及び水酸化カリウムなどの鉱物塩基、水酸化アンモニウム、及びモノ−、ジ−またはトリ−エタノールアミンなどの有機塩基、または２−ジメチルアミノ−２−メチル−１−プロパノール（ＤＭＡＭＰ）を含む。塩基の混合物が使用され得る。水性媒体のｐＨを調節するための好適な酸は、塩酸、リン含有酸及び硫酸などの鉱酸、及び酢酸などの有機酸を含む。酸の混合物が使用され得る。配合物は、塩基を使用してより高いｐＨへ調節され得、次いで、酸を使用して上記に記載されている範囲へ逆滴定され得る。
【００１７】
本発明の組成物中にビルダーが存在するとき、好ましいビルダーとしては、シトレート、ホスフェート、カーボネート、アルミノシリケート、有機ホスフェート、カルボキシレート、ポリカルボキシレート（例えば、ポリアクリル酸またはマレイン／（メタ）アクリル酸コポリマー）、ポリアセチルカルボキシレート、またはそれらの混合物が挙げられる。用語「カーボネート」は、カーボネート、バイカーボネート、パーカーボネート、及び／またはセスキカーボネートを指す。ビルダーは、塩または酸形態として追加され得る。好ましくは、カーボネートまたはシトレートは、ナトリウム、カリウムまたはリチウム塩であり、好ましくはナトリウムまたはカリウム、好ましくはナトリウムである。好ましいビルダーは、炭酸ナトリウム、重炭酸ナトリウム、クエン酸ナトリウム、またはそれらのうちの２つ以上の混合物を含む。好ましくは、本発明の組成物中に存在するときのビルダーの量は、例えば、洗剤組成物の総重量に基づき、０．１〜５０重量％、好ましくは０．５〜４０重量パーセントの範囲にあり得る。
【００１８】
補助ビルダーはまた、本発明の組成物中に含まれ得る。好ましい補助ビルダーは、ポリアクリル酸及びそのコポリマー、スルホネート、ホスホネート（例えば、ジエチレントリアミンペンタメチレンホスホン酸ナトリウム）を含むが、これらに限定されない。好ましくは、補助ビルダーの量は、本発明の組成物に存在するとき、例えば、洗剤組成物の総重量に基づき、０．１〜２０重量％、あるいは０．５〜１０重量パーセントの範囲にあり得る。ビルダー及び補助ビルダーは、好ましくは、自動食器洗浄洗剤である洗剤組成物中に存在する。
【００１９】
洗剤組成物はまた、限定されないが、ヒドロトロープ（例えば、エタノール、プロピレングリコール）、酵素（例えば、プロテアーゼ、リパーゼ、アミラーゼ）、防腐剤、香水、蛍光剤、シェーディング染料、追加のビルダー、及び／または添加物ポリマー（例えば、再付着防止ポリマー、灰色化防止ポリマー）を含む、様々な他の任意の成分を含み得る。
【００２０】
好ましくは、洗剤は、密封パッケージに入れられ、好ましくは単位用量洗剤パッケージである。好ましくは、パッケージは、水溶性または水分散性ポリマーである。本発明の好ましい実施形態では、ポリマーは、ポリビニルアルコールである。密封パッケージ中の洗剤組成物は、例えば、洗濯機または自動食器洗浄機で使用され得る。パウチを形成するための方法は、周知であり、例えば、ＷＯ２００２／０６０７５８に記載されている。
【実施例】
【００２１】
実施例１：モデル配合物における性能
【００２２】
【表１】
2019506489.tif 000002
【００２３】
成分を、以下の表に記載された追加の順に従って、機械的撹拌下でビーカーに追加する。モデル配合物は透明及び黄色である。
【００２４】
モデル配合物に加えて３％活性ポリマーＡ、Ｂ、Ｃ、またはＤの追加後の安定性
ポリマーＡ、Ｂ、Ｃ及びＤを、５００ｒｐｍで５分間機械撹拌機を使用し、モデル配合物に加えて後追加した。配合物の安定性を、２２℃での２４時間後視覚的に評価し、安定配合物については、４０℃での２か月の保管後に別の視覚評価を行った。
【００２５】
【表２】
2019506489.tif 000003
【００２６】
結果
ポリマーＡは、モデル配合物内で安定していた試験された唯一のアクリルポリマーであった。
【００２７】
灰色化防止性能（ＡＲＤ）
汚れ付着防止試験は、４０℃、綿プログラム、１０００ｒｐｍ、３０°ＴＨ（フランスの硬度）に調節された水の硬度、及び３．５ｋｇのバラスト織物を投入に設定したＭｉｅｌｅからの欧州の洗濯機、Ｎｏｖｏｔｒｏｎｉｃ  Ｗ１６１４型で行った。
【００２８】
汚れ付着は、ＷＦＫ  Ｃｏｍｐａｎｙより供給された白い織物：綿（Ｃｏ）基準１０Ａ；ポリエステル−綿（６５／３５）（ＰｅＣｏ）基準２０Ａで測定した。
【００２９】
各洗濯機に、２１＊２９．７ｃｍ寸法の綿、ポリエステル−綿（６５／３５）、ポリエステル（Ｐｅ）、及びポリアミド６．６（ＰＡ）の見本をそれぞれ1枚投入した。洗濯機につき、またサイクルにつき、ＷＦＫ  Ｃｏｍｐａｎｙにより供給された１枚の未使用の灰色化の見本を追加した。洗濯機につき３５ｇのＤｏｗモデル配合物を追加した。
【００３０】
１０サイクル後、反射率Ｙ（Ｄ６５）を、各白い見本（綿、ポリエステル−綿、ポリエステル、及びポリアミド）において、分光測色計Ｋｏｎｉｃａ  Ｍｉｎｏｌｔａ  ＣＭ２６００ｄを使用して測定した。
【００３１】
データを生成するために、織物を同様に折り畳み、Ｙ値を各織物の片面で２点及び反対側の面で２点測定した。次いで、織物の各種類の平均及び標準偏差を計算した。
【００３２】
【表３】
2019506489.tif 000004
【００３３】
結果
モデル配合物へのポリマーＡの追加は、ポリマー追加なしに比べて、綿及び綿／ポリエステル見本の白色度を向上させる上で役に立った。ポリマーＡは、１．５％ｗ／ｗまたは３％ｗ／ｗのいずれのモデル配合物の投与でも、同様の白色度を提供する。
【００３４】
ポリマーＡの追加は、綿及び綿／ポリエステルの両方の見本へのポリマーなしに対するＹ％を増加しながら、アニオン性界面活性剤の２０％削減を可能にする。
【００３５】
ポリマーＡは、アニオン性界面活性剤の量が２０％削減されるとき、綿及び綿ポリエステル織物に水準点と同じレベルで働くか、またはその優れた性能を提供する。
【００３６】
一次洗浄性能
一次洗浄性能試験は、４０℃、綿プログラム、１０００ｒｐｍ、３０°ＴＨに調節された水の硬度、及び３．５ｋｇのバラスト織物の投入に設定したＭｉｅｌｅからの欧州の洗濯機、ＮＯＶＯＴＲＯＮＩＣ  Ｗ１６１４型で行った。
【００３７】
一次洗浄性能試験は、草、モレロ１００％濃縮物、トマトケチャップ、及び泥などの、ＣＦＴ  Ｃｏｍｐａｎｙより提供された綿上の染みにおいて、１洗濯サイクルの後に測定された。
【００３８】
各洗濯機に、バラスト織物及び染みを投入した。各染みにつき、６つのサンプルを実行した。洗濯機あたり、３５ｇのＤｏｗモデル配合物を投与した（モデル配合物について実施例１を参照されたい）。
【００３９】
一次洗浄は、各染みのＤｅｌｔａ  Ｅ（ΔＥ）を介して測定される。
【００４０】
Ｄｅｌｔａ  Ｅは、Ｌ＊ａ＊ｂ＊色空間内の、未洗濯の染みと洗濯済の染みの間の色の違いである。各染みは、洗濯前及び後に測定された。各染みのＤｅｌｔａ  Ｅは、以下の方程式に従って、未洗濯及び洗濯済の染みのＬ＊ａ＊ｂ＊値から計算した。
【００４１】
【数１】
2019506489.tif 000005
【００４２】
Ｄｅｌｔａ  Ｅが高いとき、一次洗浄も有力である。
【００４３】
次いで、織物の各種類の平均及び平均標準偏差（ｓｔ  ｄｅｖ）を計算した。
【００４４】
【表４】
2019506489.tif 000006
【００４５】
結果
Ｄｏｗモデル配合物へのポリマーＡの追加は、いくつかの染みの一次洗浄性能を向上するために役に立つ。ポリマーＡの追加は、ポリマーなしに対する一次洗浄を向上しながら、アニオン性界面活性剤の１０％〜２０％削減を可能にする。トマト及び泥などのいくつかの染みは、アニオン性界面活性剤の１０％削減及び３％ポリマーＡで、著しくより良く洗濯された。アニオン性界面活性剤の２０％削減及び３％ポリマーＡで洗濯されたモレロの染みは、より良く洗濯される。
【００４６】
ポリマーＡは、単回投与量が１０％及びさらには２０％のアニオン性界面活性剤を削減するとき、綿織物に水準点と同じレベルで働くか、またはその優れた性能を提供する。
【００４７】
市販の水溶性フィルム内での安定性
単位用量パッケージングの設計は、以下の手順に従って行われた。
初めに、約３ｃｍの直径のＰＶＣチューブを、その耐熱性について試験した。使用された熱源は、最も高い温度及び蒸気生成なしに調整された平鉄であった。１０秒後、チューブはそのままであった。
【００４８】
次いで、２片のポリビニルアルコールフィルムを一緒にして、平鉄の温度を２片のポリビニルアルコールフィルムが溶接されるまで微調整した。次いで、この温度を次のステップのために固定した。その後、２片が接するまで、チューブを水溶性フィルムで包んだ。水溶性フィルムを、パウチのような形のチューブを得るために平鉄の端で溶接する。次いで得られたパウチを洗剤配合物で充填し、反対の端は溶接してもよい。
【００４９】
ポリマーＡあり及びなしのＤｏｗ単回投与量配合物を、市販のポリビニルアルコール水溶性フィルムを使用して試験した。そのパッケージング中の単位用量は、２か月間室温で保管され、水溶性フィルム上にダメージは視覚的には見られなかった。
【００５０】
結果
単位用量配合物及び水溶性パッケージングは適合性がある。さらに、ポリマーＡを含む単位用量である、最も有望なプロトタイプはこの適合性試験に合格した。
【００５１】
実施例２：重質洗濯（ＨＤＬ）モデル配合物での性能
【００５２】
【表５】
2019506489.tif 000007
【００５３】
灰色化防止性能（ＡＲＤ）
汚れ付着防止試験は、４０℃、綿プログラム、１０００ｒｐｍ、３０°ＴＨに調節された水の硬度、及び３．５ｋｇのバラスト織物を投入に設定したＭｉｅｌｅからの欧州の洗濯機、Ｎｏｖｏｔｒｏｎｉｃ  Ｗ１６１４型で行った。
【００５４】
汚れ付着は、ＷＦＫ  Ｃｏｍｐａｎｙより供給された白い織物：綿（Ｃｏ）基準１０Ａ；ポリエステル−綿（６５／３５）（ＰｅＣｏ）基準２０Ａ；ポリエステル（Ｐｅ）基準３０Ａ及びポリアミド６．６（ＰＡ）基準４０Ａで測定した。
【００５５】
各洗濯機に、２１＊２９．７ｃｍ寸法の綿、ポリエステル−綿（６５／３５）、ポリエステル（Ｐｅ）、及びポリアミド６．６（ＰＡ）の見本をそれぞれ1枚投入した。洗濯機につき、またサイクルにつき、ＷＦＫ  Ｃｏｍｐａｎｙより供給された１枚の未使用の灰色化の見本を追加した。Ｄｏｗ  ＨＤＬモデル配合物を、洗濯機あたり６５ｇで投与した。
【００５６】
１０サイクルの後、反射率Ｙ（Ｄ６５）を、各白い見本（綿、ポリエステル−綿、ポリエステル、及びポリアミド）において、分光測色計Ｋｏｎｉｃａ  Ｍｉｎｏｌｔａ  ＣＭ２６００ｄを使用して測定した。データを生成するために、織物を同様に折り畳み、Ｙ値を各織物の片面で２点及び反対側の面で２点測定した。次いで、織物の各種類の平均及び標準偏差を計算した。
【００５７】
【表６】
2019506489.tif 000008
【００５８】
結果
ＨＤＬモデル配合物へのポリマーＡの追加は、ポリマー追加なしに比べて、綿及び綿／ポリエステル見本の白色度を向上させる上で役に立つ。ポリマーＡは、１．５％ｗ／ｗまたは３％ｗ／ｗのいずれの単回投与量のモデル配合物の投与でも、同様の白色度を提供した。
【００５９】
ポリマーＡの追加は、綿及び綿／ポリエステルの両方の見本へのポリマーなしに対するＹ％を増加しながら、アニオン性界面活性剤の２０％削減を可能にする。
【００６０】
ポリマーＡは、ＨＤＬが２０％のアニオン性界面活性剤を削減するとき、綿織物に水準点と同じレベルで働くか、またはその優れた性能を提供する。
【国際調査報告】
2019506489.tif 000009
2019506489.tif 000010
2019506489.tif 000011